(57)【要約】【課題】  水路の流れに影響されず、生物の棲息できる環境を維持できると共に、製造及び施工に要するコストがより経済的な水路構造体を提供する。【解決手段】  水路構造体１は、断面Ｕ字形を有し、その各々同志の間に隙間５を生じるように長手方向に配置された水路ブロック２ａ及び２ｃと、二面が開放された直方体箱形形状を有するコンクリート二次製品であって、隙間５における最下部の少なくとも一部を含む部分を水路ブロック２ａ及び２ｂの外方側から囲う魚巣ブロック１０ａ及び１０ｂと、魚巣ブロック１０ａ及び１０ｂの上面に設置され、隙間５の上部と嵌合する固定ブロック１９ａ及び１９ｂとから構成されている。魚巣ブロック１０ａ及び１０ｂ内部の空間と水路ブロック２ａ及び２ｂとの間は、隙間５を介して挿通自在となるため、特殊な形状のブロックを用いることなく、生物の棲息場所を構築することが可能となる。【選択図】        図１
2006132164.tif 000002
【特許請求の範囲】
【請求項１】
水路を構成するための水路構造体であって、
各々が、底部と、前記底部における幅方向の両端側から上方に伸びる一対の側壁部とを有し、その各々同志の間に隙間を生じるように長手方向に配置された少なくとも２つの第１の水路ブロックと、
前記隙間における最下部の少なくとも一部を含む部分を、前記第１の水路ブロックの外方側から所定の空間を介して囲うように取り付けられた魚巣ブロックとを備えた、水路構造体。
【請求項２】
前記第１の水路ブロックは、断面がほぼＵ字形を有し、地盤面の上に設置され、
前記魚巣ブロックは、隣接する二面が開放された直方体箱形形状のコンクリート二次製品よりなり、前記開放された二面の一方が前記第１の水路ブロックの各々の前記側壁部の外面に沿うと共に、前記二面の他方が前記水路の前記地盤面に接するように取り付けられる、請求項１記載の水路構造体。
【請求項３】
前記第１の水路ブロックは、断面がほぼＵ字形のコンクリート二次製品よりなり、
前記魚巣ブロックは、断面がほぼＵ字形のコンクリート二次製品よりなり、その内方側の寸法が前記第１の水路ブロックの外方側の寸法より大きく、前記第１の水路ブロックを下方から囲うように配置されるブロック本体と、前記ブロック本体と前記第１の水路ブロックとで挟まれた空間を前記第１の水路ブロックの長手方向から塞ぐ側蓋と、前記空間を上方から塞ぐ上蓋とからなる、請求項１記載の水路構造体。
【請求項４】
前記第１の水路ブロックは、断面がほぼＵ字形を有し、
前記魚巣ブロックは、一面が開放された直方体箱形形状のコンクリート二次製品よりなり、前記一面が前記第１の水路ブロックの各々の前記側壁部の外面に沿うように取り付けられる、請求項１記載の水路構造体。
【請求項５】
前記魚巣ブロックの上部に設置され、前記隙間の上方部分と嵌合する固定ブロックを更に備える、請求項２から請求項４のいずれかに記載の水路構造体。
【請求項６】
その少なくとも一部が前記第１の水路ブロックの各々の下面と接するように取り付けられ、前記隙間の前記最下部に嵌合する止水ブロックを更に備える、請求項１から請求項５のいずれかに記載の水路構造体。
【請求項７】
前記魚巣ブロックには、その構造体を貫通するように少なくとも１つの開口が形成され、
通水性を有するシート形状で、前記開口を覆う通水シートを更に備える、請求項１から請求項６のいずれかに記載の水路構造体。
【請求項８】
前記第１の水路ブロックの上流側と下流側とに接続される少なくとも一対の第２の水路ブロックを更に備え、
前記第１の水路ブロックは、前記第２の水路ブロックより深い、請求項１から請求項７のいずれかに記載の水路構造体。
【請求項９】
前記水路構造体は、３つ以上の前記第１の水路ブロックを有し、
前記魚巣ブロックは、隣接する２以上の前記隙間を一体的に囲う、請求項１から請求項８のいずれかに記載の水路構造体。
【発明の詳細な説明】
【技術分野】
【０００１】
この発明は、水路構造体に関し、特に生物が棲息できる空間を備えた水路構造体に関するものである。
【背景技術】
【０００２】
現在、河川以外の小型水路工事においては、三面コンクリートの二次製品である水路ブロックが多く用いられている。このような三面コンクリートの水路ブロックによって構成された水路には、魚類等の生物が棲息できる場所がなく、水路内での棲息や繁殖が困難であった。特に、夏期の渇水時には、水路内の水が枯渇して流れが止まってしまうため、生物にとっては死の世界となっていた。
【０００３】
そこで、水路内外に生物の棲息場所を確保するためのコンクリート二次製品水路が考えられており、水路ブロックの側壁に穴を開けると共に、側壁の背面に魚巣ブロックを一体的に接続したものや、水路ブロックの側壁の一部を幅方向に広げて魚巣ブロック部を形成したものが知られている（例えば、特許文献１及び特許文献２参照）。
【０００４】
【特許文献１】実公平３−４２０９７号公報
【特許文献２】特開平０９−２４２０５３号公報
【発明の開示】
【発明が解決しようとする課題】
【０００５】
上記のような従来の魚巣機能付き水路に用いられる魚巣ブロックは、側壁部分に穴が形成されていたり、魚巣部分と水路部分とが一体的に形成されるなどの特殊な形状を有しているため、魚巣ブロックを製造するためには専用の型枠を製作する必要がある。そうすると、魚巣ブロックの製造コストは、魚巣部分のない標準水路と比べて相当割高となり、水路の設計段階で採用されにくいという問題があった。仮に魚巣ブロックが採用された場合でも、施工費用を抑制する必要があるために、多くの魚巣ブロックを設置することは困難であった。
【０００６】
また、上記のような従来の魚巣ブロックは、在庫をストックせず、施工毎に製造されるのが一般的である。したがって、水路工事の施工時期になってから急に魚巣ブロック設置の要望が生じた場合には、製造が間に合わず、実際には魚巣ブロックの設置ができない場合も生じていた。
【０００７】
更に、二次製品水路は、可能な限り経済的に仕上げる必要があるため、小型の水路ブロックを使用するように設計されている。すると、完成した水路では、水の流速が速くなってしまうため、例えばメダカのように、泳ぐ力が弱く、流速が緩やかな場所を好む小型の淡水魚等は、もはや棲息できなくなってしまうという問題もあった。特に、大水のときには、水路底部に溜まっている泥や砂、石、藻類などと一緒に水棲生物も流されてしまうことも多かった。そこで、十分な魚巣機能を有しながらも、経済的な魚巣ブロックが望まれていた。
【０００８】
更に、夏期の渇水期において、水路に棲息している生物は、水路が枯渇してしまった場合には殆ど死滅してしまい、また、水が残っている場合であっても、水量の減少によって水深が浅くなるため、水鳥等の格好の餌となっていた。そこで、魚巣ブロックには、渇水期にあっても水が残留し、且つ生物の隠れ場所となり得ることも求められていた。
【０００９】
その他、魚巣ブロックは、その内部が天然の藻類等が繁茂しやすい環境であることや、人工藻の取り付けが容易であること、生態系に影響を与えにくい自然な材質を使用できること、入り口に大型魚の侵入を阻止する金網を取り付けられるようにすることが必要とされている。
【００１０】
この発明は、上記のような課題を解決するためになされたもので、水路の流れに影響されず、生物の棲息できる環境を維持できると共に、製造及び施工に要するコストがより経済的な水路構造体を提供することを目的とする。
【課題を解決するための手段】
【００１１】
上記の目的を達成するために、請求項１記載の発明は、水路を構成するための水路構造体であって、各々が、底部と、底部における幅方向の両端側から上方に伸びる一対の側壁部とを有し、その各々同志の間に隙間を生じるように長手方向に配置された少なくとも２つの第１の水路ブロックと、隙間における最下部の少なくとも一部を含む部分を、第１の水路ブロックの外方側から所定の空間を介して囲うように取り付けられた魚巣ブロックとを備えたものである。
【００１２】
このように構成すると、第１の水路ブロックの隙間によって、魚巣ブロックの内部と第１の水路ブロックとの間が挿通状態となる。
【００１３】
請求項２記載の発明は、請求項１記載の発明の構成において、第１の水路ブロックは、断面がほぼＵ字形を有し、地盤面の上に設置され、魚巣ブロックは、隣接する二面が開放された直方体箱形形状のコンクリート二次製品よりなり、開放された二面の一方が第１の水路ブロックの各々の側壁部の外面に沿うと共に、二面の他方が水路の地盤面に接するように取り付けられるものである。
【００１４】
このように構成すると、魚巣ブロック内部の底面は地盤面が露出した状態となる。
【００１５】
請求項３記載の発明は、請求項１記載の発明の構成において、第１の水路ブロックは、断面がほぼＵ字形のコンクリート二次製品よりなり、魚巣ブロックは、断面がほぼＵ字形のコンクリート二次製品よりなり、その内方側の寸法が第１の水路ブロックの外方側の寸法より大きく、第１の水路ブロックを下方から囲うように配置されるブロック本体と、ブロック本体と第１の水路ブロックとで挟まれた空間を第１の水路ブロックの長手方向から塞ぐ側蓋と、空間を上方から塞ぐ上蓋とからなるものである。
【００１６】
このように構成すると、断面Ｕ字形のコンクリート二次製品よりなる魚巣ブロックによって、第１の水路ブロックの少なくとも下方側に空間が構成される。
【００１７】
請求項４記載の発明は、請求項１記載の発明の構成において、第１の水路ブロックは、断面がほぼＵ字形を有し、魚巣ブロックは、一面が開放された直方体箱形形状のコンクリート二次製品よりなり、一面が第１の水路ブロックの各々の側壁部の外面に沿うように取り付けられるものである。
【００１８】
このように構成すると、魚巣ブロックの強度が向上する。
【００１９】
請求項５記載の発明は、請求項２から請求項４のいずれかに記載の発明の構成において、魚巣ブロックの上部に設置され、隙間の上方部分と嵌合する固定ブロックを更に備えるものである。
【００２０】
このように構成すると、魚巣ブロックの上面を利用して固定ブロックを取り付けることによって、側壁部同志の隙間が塞がれた状態となる。
【００２１】
請求項６記載の発明は、請求項１から請求項５のいずれかに記載の発明の構成において、その少なくとも一部が第１の水路ブロックの各々の下面と接するように取り付けられ、隙間の最下部に嵌合する止水ブロックを更に備えるものである。
【００２２】
このように構成すると、止水ブロックは隙間の最下部と嵌合した状態で、第１の水路ブロックによって固定される。
【００２３】
請求項７記載の発明は、請求項１から請求項６のいずれかに記載の発明の構成において、魚巣ブロックには、その構造体を貫通するように少なくとも１つの開口が形成され、通水性を有するシート形状で、開口を覆う通水シートを更に備えるものである。
【００２４】
このように構成すると、開口によって魚巣ブロックの通水性が向上する。
【００２５】
請求項８記載の発明は、請求項１から請求項７のいずれかに記載の発明の構成において、第１の水路ブロックの上流側と下流側とに接続される少なくとも一対の第２の水路ブロックを更に備え、第１の水路ブロックは、第２の水路ブロックより深いものである。
【００２６】
このように構成すると、水路内の水量が減少しても、第１の水路ブロックの底部上に最後まで水が残存する。
【００２７】
請求項９記載の発明は、請求項１から請求項８のいずれかに記載の発明の構成において、水路構造体は、３つ以上の第１の水路ブロックを有し、魚巣ブロックは、隣接する２以上の隙間を一体的に囲うものである。
【００２８】
このように構成すると、第１の水路ブロックで構成される水路と魚巣ブロックの内部とは、２以上の隙間を介して挿通自在となる。
【発明の効果】
【００２９】
以上説明したように、請求項１記載の発明は、第１の水路ブロックの隙間によって、魚巣ブロックの内部と第１の水路ブロックとの間が挿通状態となるため、特別な水路ブロックを用いることなく、標準的な水路ブロック同志の隙間を利用して、生物が棲息するための空間を効率的に構築することが可能となる。また、第１の水路ブロックの幅にかかわらず、同じ魚巣ブロックを使用することが可能となる。
【００３０】
請求項２記載の発明は、請求項１記載の発明の効果に加えて、魚巣ブロック内部の底面は地盤面が露出した状態となるため、魚巣ブロック内部に天然の水草や藻類が根付きやすくなり、魚巣ブロック内の環境が向上する。
【００３１】
請求項３記載の発明は、請求項１記載の発明の効果に加えて、断面Ｕ字形のコンクリート二次製品を用いて、第１の水路ブロックの少なくとも下方側に空間が構成されるため、専用の魚巣ブロックを用いずに、生物の棲息場所を構成することが可能となる。また、渇水時には、魚巣ブロック内部に最後まで水が残存するため、生物の棲息環境をより長く維持することが可能となる。
【００３２】
請求項４記載の発明は、請求項１記載の発明の効果に加えて、魚巣ブロックの強度が向上するため、魚巣ブロックの上方に構築される道路等の建造物の種類にかかわらず、魚巣ブロックの設置が可能となる。
【００３３】
請求項５記載の発明は、請求項２から請求項４のいずれかに記載の発明の効果に加えて、魚巣ブロックの上部を利用して固定ブロックを取り付けることによって、側壁部同志の隙間が塞がれた状態となるため、側壁部の隣接部分の止水性が向上する。また、固定ブロックを側壁部の各々または魚巣ブロックの少なくとも一方に固定すれば、第１の水路ブロック同志の連結状態が安定する。
【００３４】
請求項６記載の発明は、請求項１から請求項５のいずれかに記載の発明の効果に加えて、止水ブロックは隙間の最下部と嵌合した状態で、第１の水路ブロックによって固定されるため、底部の隣接部分の止水性が向上する。
【００３５】
請求項７記載の発明は、請求項１から請求項６のいずれかに記載の発明の効果に加えて、開口によって魚巣ブロックの通水性が向上するため、魚巣ブロック内外の通水状態が自然の状態に近くなり、魚巣ブロック内の環境がより向上する。
【００３６】
請求項８記載の発明は、請求項１から請求項７のいずれかに記載の発明の効果に加えて、水路内の水量が減少しても、第１の水路ブロックの底部上に最後まで水が残存するため、渇水期においても魚巣ブロック内の生物の棲息環境をより長期間維持することが可能となる。
【００３７】
請求項９記載の発明は、請求項１から請求項８のいずれかに記載の発明の効果に加えて、第１の水路ブロックで構成される水路と魚巣ブロックの内部とは、２以上の隙間を介して挿通自在となるため、魚巣ブロック内の水が循環しやすくなり、生物の棲息環境が一層向上する。
【発明を実施するための最良の形態】
【００３８】
図１は、この発明の第１の実施の形態による水路構造体の概略構成を示した一部破断図であり、図２は、図１で示した魚巣ブロック部分の概略構成を示した分解斜視図であり、図３は、図１で示したＩＩＩ−ＩＩＩラインの拡大断面図である。また、図４は、図３で示したＩＶ−ＩＶラインの断面図であり、図５は、図３で示したＶ−Ｖラインの断面図であり、図６は、図３で示したＶＩ−ＶＩラインの断面図である。
【００３９】
これらの図を参照して、水路構造体１は、その各々同志の間に間隔５を生じるように長手方向に配置された一対の水路ブロック２ａ及び２ｂと、水路ブロック２ａ及び２ｂの幅方向の外方側に取り付けられた一対の魚巣ブロック１０ａ及び１０ｂと、一対の固定ブロック１９ａ及び１９ｂとから主に構成されている。
【００４０】
水路ブロック２ａは、コンクリート二次製品よりなり、底部８ａと、底部８ａの幅方向の両端側から上方に伸びる一対の側壁部３ａ及び３ｃとを有する断面Ｕ字形状に形成されている。他方の水路ブロック２ｂもまた、水路ブロック２ａと同一形状に形成され、底部８ｂと、底部８ｂの幅方向の両端側に接続された側壁部３ｂ及び３ｄとを有している。そして、これらの水路ブロック２ａ及び２ｂは、長手方向に３〜５０ｃｍ（通常は１０〜２０ｃｍ）の間隔の隙間５を開けて、地盤面の砕石６上に設置されている。尚、これらの水路ブロック２ａ及び２ｂには、三面コンクリートの二次製品水路の施工において一般的に使用される標準のコンクリート二次製品を、施工する水路の大きさに応じて選択して使用することが可能である。
【００４１】
魚巣ブロック１０ａは、コンクリート二次製品よりなり、隣接する二面が開放された直方体箱形形状を有している。そして、魚巣ブロック１０ａの各面を構成するコンクリートの構造体部分には、すり鉢形状の開口１２ａ〜１２ｄが形成され、これらの開口１２ａ〜１２ｄの各々を覆うように、通水性を有するシート形状の吸出し防止シート１７ａ〜１７ｄが貼り付けられている。これらの吸出し防止シート１７ａ〜１７ｄは、開口１２ａ〜１２ｄから魚巣ブロック１０ａ内部への土砂の侵入を防止するためのものであり、例えば不織布を使用することができる。尚、魚巣ブロック１０ａの背面側（図１及び図２における奥側）の構造体部分についても同様に、開口が形成され、開口を覆うように吸出し防止シート１７ｅが貼り付けられている。また、魚巣ブロック１０ａの上面の構造体部分には、平面視台形状で、水路ブロック２ａ及び２ｂの端部のフランジ部４ａ及び４ｂの各々に嵌合できる大きさの切欠１１が形成されている。
【００４２】
尚、他方の魚巣ブロック１０ｂについても、魚巣ブロック１０ａと同一形状に形成されている。
【００４３】
固定ブロック１９ａは、断面凸形状のコンクリート二次製品よりなり、断面における凸部３１の厚みは、水路ブロック２ａ及び２ｂの隙間５の間隔とほぼ等しくなるように設定されている。また、固定ブロック１９ａの凸部を貫通するように開口２３が形成されているが、この開口２３は、ボルト２０を用いて固定ブロック１９ａを水路ブロック２ａ及び２ｂに固定するためのものである。
【００４４】
ここで、水路構造体１の施工方法の一例について説明する。
【００４５】
水路構造体１の施工時には、まず、地盤面の砕石６上に水路ブロック２ａ及び２ｂを上記のように長手方向に隙間５を開けて設置する。
【００４６】
次に、隙間５の外方側の砕石６上に、通水性を有する矩形シート状の繊維マット１６を敷設し、更に、人工藻１５が取り付けられた矩形形状の金網１４を繊維マット１６の上面に重ねて配置する。尚、このような繊維マット１６及び金網１４は、必ずしも必要なものではないが、取り付けておけば、魚巣ブロック１０ａの内部に堆積した泥砂の流失を抑制することが可能である。また、金網１４に取り付けられた人工藻１５は、メダカ等の魚類の産卵を促進するために取り付けられるもので、例えば、常に水中を漂うことができるように炭素繊維の上端に発泡性の浮力体を取り付けたものを使用することができる。
【００４７】
次に、砕石６上に配置された水路ブロック２ａ及び２ｂに魚巣ブロック１０ａを取り付ける。このとき、魚巣ブロック１０ａの開放された二面の一方が側壁部３ａ及び３ｂの各々の外方面に沿うと共に、開放された二面の他方がコンクリートブロック２ａ及び２ｂの下面と同一面上に配置された金網１４に接した状態で魚巣ブロック１０ａを設置する。上述したように、魚巣ブロック１０ａの上面の構造体部分には切欠１１が形成されているため、図５に示されるように、隙間５を介して隣接する側壁部３ａ及び３ｂのフランジ部４ａ及び４ｂの各々が切欠１１の部分と嵌合し、魚巣ブロック１０ａの開放された二面の一方一方が側壁部３ａ及び３ｂの外面にほぼぴったりと沿った状態となる。これにより、魚巣ブロック１０ａは、隙間５の最下部の少なくとも一部を含む部分を、水路ブロック２ａ及び２ｂの外方側から、その内部の空間を介して囲った状態となる。
【００４８】
次に、魚巣ブロック１０ａの上面に固定ブロック１９ａを取り付ける。このとき、固定ブロック１９ａの凸部３１を、水路ブロック２ａ及び２ｂの隙間５の上部に嵌合させた状態とする。その後、側壁部３ａのフランジ部４ａと、固定ブロック１９ａの凸部３１の開口２３と、側壁部３ｂのフランジ部４ｂとを貫通するようにボルト２０を挿通させ、ワッシャー２２ａ及び２２ｂを介してナット２１で締結し、固定ブロック１９ａとフランジ部４ａ及び４ｂとを連結する。
【００４９】
尚、他方の魚巣ブロック１０ｂ及び固定ブロック１９ｂの側壁部３ｃ及び３ｄへの取り付けについても、魚巣ブロック１０ａ及び固定ブロック１９ｂと同様である。
【００５０】
そして、図４に示されるように、水路構造体１の外方側部分、すなわち、魚巣ブロック１０ａの上方部分を土３５で埋め戻して、水路構造体１の施工が完了する。
【００５１】
以上のようにして水路構造体１を構成すると、水路ブロック２ａ及び２ｂ同志の隙間５によって、魚巣ブロック１０ａ及び１０ｂ内部の空間と水路ブロック２ａ及び２ｂの内部とが挿通状態となる。すると、図３及び図４に示されるように、水路ブロック２ａ及び２ｂの内部に水面７まで水があるときには、隙間５を通じて水路ブロック１０ａで囲われた空間の内部にも水が貯留され、魚類等の生物が隙間５から出入りして魚巣ブロック１０ａの内部に棲息することが可能となる。特に、この実施の形態の水路構造体１では、魚巣ブロック１０ａの内部の空間に対して隙間５の間隔は狭く設定されているため、魚巣ブロック１０ａ内に貯留された水は、水路ブロック２ａ及び２ｂ内の水流の影響を受けにくくなり、メダカのような流速の比較的遅い水域を好む生物の棲息が可能となる。また、大水の際には、魚巣ブロック１０ａの内部は魚類等が隠れる場所になると共に、魚巣ブロック１０ａ内部の水草や藻類、底部に堆積した泥砂等も流されにくくなる。更に、水路内の水量が減少したときでも、魚巣ブロック１０ａの内部は水路ブロック２ａ及び２ｂによって遮蔽されているため、魚類等の水棲生物は水鳥等から身を隠すことが可能である。
【００５２】
このように、魚巣機能を有する特殊な形状のブロックを用いることなく、標準的なコンクリート二次製品の水路ブロック２ａ及び２ｂを用いて、生物が棲息するための空間を効率的に構築することが可能となる。具体的には、この実施の形態における魚巣ブロック１０ａは、様々な寸法のコンクリート二次製品水路ブロックに取り付けることが可能であるので、高価な型枠を有する従来の魚巣機能付きブロックと比べて、製造及び施工コストが経済的となる。また、施工段階で急に魚巣ブロック１０ａの設置の要望が生じた場合であっても、従来のように水路ブロック専用の型枠を製作する必要がなく、施工方法も容易であるので、容易に水路構造体１を構成することが可能である。
【００５３】
また、この実施の形態においては、魚巣ブロック１０ａにおける開放された二面のうちの一面が、地盤面側に配置されている。すると、魚巣ブロック１０ａ内の底面部分は、金網１４と繊維マット１６とを介して地盤面が露出した状態となるので、魚巣ブロック１０ａの内部には繊維マット１６を突き破って天然の水草や藻類が根付きやすくなる。よって、コンクリート二次製品を用いながらも、魚巣ブロック１０ａ内の環境を自然環境に近づけて、生物の棲息環境を向上させることが可能となる。
【００５４】
更に、魚巣ブロック１０ａの上面を利用して固定ブロック１９ａを取り付けることによって、隙間５の上部が塞がれた状態となるため、側壁部３ａ及び３ｂの隣接部分の止水性を向上させることが可能となる。また、固定ブロック１９ａ及び１９ｂは、隙間５の上部に嵌合すると共に、ボルト２０を介して側壁部３ａ及び３ｂの両方に固定されているため、水路ブロック２ａ及び２ｂ同志の連結状態が安定して維持されることになる。
【００５５】
更に、魚巣ブロック１０ａの構造体の部分に形成された複数の開口１２ａ〜１２ｄによって、魚巣ブロック１０ａの通水性が向上するため、魚巣ブロック１０ａの内外の通水状態は自然の状態に近くなり、魚巣ブロック１０ａ内部の環境がより一層向上する。尚、このように開口１２ａ〜１２ｄを形成しても、吸出し防止シート１７ａ〜１７ｄを貼り付けることによって、埋め戻された土３５が魚巣ブロック１０ａの内部に侵入することが防止されている。
【００５６】
図７は、この発明の第２の実施の形態による水路構造体の概略構成を示した一部破断図であり、図８は、図７で示した魚巣ブロック部分の概略構成を示した分解斜視図であり、図９は、図７で示したＩＸ−ＩＸラインの断面図であり、図１０は、図９で示したＸ−Ｘラインの断面図である。
【００５７】
これらの図を参照して、この実施の形態による水路構造体１は、例えば用水路として用いられるものであり、基本的な構成については、先の第１の実施の形態によるものと同様である。ただし、この実施の形態においては、魚巣ブロック１０ａ及び１０ｂの形状と、止水ブロック２４を更に備えている点とが先の第１の実施の形態によるものとは大きく異なっている。以下、相違点を中心に説明する。
【００５８】
この実施の形態による魚巣ブロック１０ａは、コンクリート二次製品よりなり、一面が開放された直方体箱形形状に形成され、開放された一面が側壁部３ａ及び３ｂの外方面に沿うように取り付けられている。すなわち、この実施の形態による魚巣ブロック１０ａは、先の第１の実施の形態と比べると、底面部分に更にコンクリートの構造体を備えた形状を有している。また、魚巣ブロック１０ａの底面の構造体部分には、地盤面との間の通水性を確保するための開口１２ｅ〜１２ｇが形成されている。そして、この魚巣ブロック１０ａにおいては、上面及び底面を構成する構造体部分の各々に切欠１１ａ及び１１ｂが形成されている。
【００５９】
魚巣ブロック１０ａには、その構造体部分に形成された開口１２ａ〜１２ｇを覆うように予め吸出し防止シート１７ａ〜１７ｅ等を貼り付けておくと共に、図８の二点鎖線で示されるように、人工藻１５が取り付けられた金網１４と、繊維マット１６とを重ね合わせた状態で水路ブロック１０ａ内部の底面上に取り付けておく。
【００６０】
止水ブロック２４は、断面凸形状のコンクリート二次製品よりなり、凸部３２の幅は水路ブロック２ａ及び２ｂの隙間５の間隔とほぼ等しく、その長手方向の長さは水路ブロック３ａ及び３ｂの幅とほぼ等しくなるように設定されている。
【００６１】
この実施の形態による水路構造体１の施工時には、まず、水路ブロック２ａ及び２ｂの地盤面への設置と併せて、止水ブロック２４を取り付ける。このとき、図１０に示されるように、止水ブロック２４の凸部３２の両側面と水路ブロック２ａ及び２ｂの端部の各々とが接すると共に、止水ブロック２４のフランジ部３３ａ及び３３ｂの上面と水路ブロック２ａ及び２ｂの下面とがそれぞれ接するように、止水ブロック２４と水路ブロック２ａ及び２ｂとを砕石６上に設置する。すると、止水ブロック２４の凸部３２が隙間５の最下部に嵌合した状態となると共に、止水ブロック２４が水路ブロック２ａ及び２ｂの各々によって固定される。
【００６２】
次に、上記のように予め金網１４、繊維マット１６及び吸出し防止シート１７ａ等を取り付けた魚巣ブロック１０ａを、側壁部３ａ及び３ｂの外方面に取り付ける。この際、図９に示されるように、側壁部３ａ及び３ｂのフランジ部４ａ及び４ｂを、魚巣ブロック１０ａの上面部分の切欠１１ａと同様に、底面部分の切欠１１ｂにも嵌合させて、魚巣ブロック１０ａにおける開放された一面が側壁部３ａ及び３ｂに接した状態となるように取り付ける。
【００６３】
更に、図９及び図１０に示されるように、隙間５と魚巣ブロック１０ａとが挿通する部分を覆うように、図示しない取付具等を用いて金網１８を取り付ける。この金網１８は、ゴミや、魚巣ブロック１０ａ内に棲息する生物を捕食する大型魚が水路ブロック２ａ及び２ｂから魚巣ブロック１０ａ内部へと侵入するのを防止するためのものである。尚、金網１８の網目の大きさを適宜調整することによって、魚巣ブロック１０ａ内に入ることができる魚の大きさを制御することが可能である。
【００６４】
その後は、第１の実施の形態と同様に、魚巣ブロック１０ａの上面に固定ブロック１９ａを取り付け、水路ブロック２ａ及び２ｂの外方側部分を土で埋め戻せば、水路構造体１の施工が完了する。
【００６５】
この実施の形態においては、魚巣ブロック１０ａを一面が開放された箱形形状として形成することによって、垂直方向の荷重に対する強度が増加するため、土で埋め戻した後の魚巣ブロック１０ａの上方に構築される道路等の建造物の種類にかかわらず、魚巣ブロック１０ａの取り付けが可能となる。
【００６６】
また、止水ブロック２４の凸部が隙間５の最下部に嵌合した状態で、水路ブロック２ａ及び２ｂの各々によって固定されているため、水路ブロック２ａ及び２ｂの各々の底部の接続部分を止水することが可能となる。よって、農業用水路のように、水の流失を防ぐ必要がある水路を施工する場合には、隙間５を利用して止水ブロック２４を取り付けるだけで容易に止水が可能となる。
【００６７】
図１１は、この発明の第３の実施の形態による水路構造体の概略構成を示した一部破断図であり、図１２は、図１１で示したＸＩＩ−ＸＩＩラインの断面図である。
【００６８】
この実施の形態による水路構造体１の基本的な構成については、先の第１の実施の形態と同様であるので、以下では相違点を中心に説明する。
【００６９】
この実施の形態による水路構造体１においては、第１の水路ブロックである水路ブロック２ａ及び２ｂの上流側と下流側とに、第２の水路ブロックである水路ブロック２６ａ及び２６ｂがそれぞれ接続されており、水路ブロック２ａ及び２ｂには、水路ブロック２６ａ及び２６ｂより深いコンクリートブロックが使用されている。尚、水路ブロック２６ａ及び２６ｂには、予め計算された流水断面を確保できる寸法のコンクリートブロックが用いられている。また、水路ブロック２ａ及び２ｂの各々と、水路ブロック２６ａ及び２６ｂの各々とがそれぞれ隣接する部分は、例えば現場打ちのコンクリート３６ａ及び３６ｂによって接続されている。
【００７０】
このように構成された水路構造体１は、水路内に水が十分にあるときには、先の第１の実施の形態と同様の効果が発揮される。これに加えて、夏期の渇水時に水路内の水が減少して、仮に、水路ブロック２６ａ及び２６ｂ内の水が枯渇した場合であっても、水路ブロック２ａ及び２ｂの底部は、水路ブロック２６ａ及び２６ｂの底部に対して深く設定されているため、水路ブロック２ａ及び２ｂの隙間５に取り付けられた魚巣ブロック１０ａには最後まで水が残存する。よって、魚巣ブロック１０ａの内部における生物の棲息環境をより長期間維持することが可能となる。
【００７１】
図１３は、この発明の第４の実施の形態による水路構造体の概略構成を示した一部破断図であり、図１４は、図１３で示したＸＩＶ−ＸＩＶラインの拡大断面図であり、図１５は、図１３で示したＸＶ−ＸＶラインの拡大断面図である。
【００７２】
これらの図を参照して、この実施の形態による水路構造体１においては、水路ブロック２ａ及び２ｂが隙間５を介して配置され、隙間５を囲うように魚巣ブロック１０が取り付けられている点については先の第１の実施の形態と同様であるが、魚巣ブロック１０自体の形状が先の第１の実施の形態とは大きく異なっている。
【００７３】
魚巣ブロック１０は、断面Ｕ字形のコンクリート二次製品よりなり、そのＵ字形内方側の寸法が水路ブロック２ａ及び２ｂの外方側の寸法より大きく、水路ブロック２ａ及び２ｂを下方から囲うように配置されたブロック本体２８と、ブロック本体２８と水路ブロック２ａ及び２ｂの外方面とで挟まれた空間を、水路ブロック２ａ及び２ｂの長手方向から塞ぐ、平面視Ｕ字形の平板状の側蓋２９ａ及び２９ｂと、ブロック本体２８と水路ブロック２ａ及び２ｂの外方面とで挟まれた当該空間を上方から塞ぐ平板状の上蓋３０ａ及び３０ｂとから構成されている。尚、ブロック本体２８には、水路ブロック２ａ及び２ｂとは異なる寸法を有する標準的なコンクリート二次製品水路ブロックを使用することができる。
【００７４】
このように、断面Ｕ字形のコンクリートの二次製品よりなるブロック本体２８によって、隙間５における最下部を少なくとも含む部分が、水路ブロック２ａ及び２ｂの下方から囲われた状態となり、少なくとも水路ブロック２ａ及び２ｂの下方側に空間が構成されている。よって、標準的なコンクリートブロックだけを使用して、生物の棲息場所を備えた水路構造体１を構成することが可能となる。また、魚巣ブロック１０によって囲われた空間は、水路ブロック２ａ及び２ｂの底部より下方に位置するため、渇水期に水路内の水が減少して水面７が低下しても、魚巣ブロック１０の内部には最後まで水が残存し、生物の棲息環境をより長く維持することが可能となる。
【００７５】
図１６は、この発明の第５の実施の形態による水路構造体の概略構成を示した一部破断図であり、図１７は、図１６で示したＸＶＩＩ−ＸＶＩＩラインの断面図である。
【００７６】
この実施の形態による水路構造体１は、各部材の基本的な構成は先の第１の実施の形態と同様であるが、３つ水路ブロック２ａ〜２ｃが２つの隙間５ａ及び５ｂを生じるように長手方向に配置され、２つの隙間５ａ及び５ｂを一体的に囲うように魚巣ブロック１０ａ及び１０ｂが取り付けられている点が、先の第１の実施の形態とは大きく異なっている。
【００７７】
このように構成すると、水路ブロック２ａ〜２ｃで構成される水路と魚巣ブロック１０ａ及び１０ｂとは２つの隙間５ａ及び５ｂの各々を介して挿通自在となる。よって、魚巣ブロック１０ａ及び１０ｂ内の水が循環しやすくなり、生物の棲息環境をより一層向上させることが可能となる。
【００７８】
尚、上記の各実施の形態では、水路ブロックとして、断面Ｕ字形のコンクリート二次製品を使用しているが、必ずしも断面Ｕ字形の二次製品である必要はなく、水路ブロックは、底部と底部の両端側から伸びる一対の側壁部を備えたものであれば良い。例えば、一対のＬ形の二次製品ブロックと現場打ちコンクリートとを併用して断面Ｕ字形に接続したものを水路ブロックとして使用しても良い。
【００７９】
更に、上記の各実施の形態では、上記の各実施の形態では、隙間の上部に嵌合する固定ブロックを備えているが、必ずしもこのように構成する必要はなく、固定ブロックはなくても良い。また、固定ブロックの代わりに隙間の上部にコンクリートを打っても良い。
【００８０】
更に、上記の各実施の形態では、水路ブロックの側壁部の外方側の部分を囲うように魚巣ブロックが取り付けられているが、必ずしもこのように構成する必要はなく、隙間の最下部を少なくとも含む部分を囲うように取り付けられていれば良い。例えば、水路ブロックの下面の下方側の少なくとも一部のみを囲うように魚巣ブロックを取り付けても良い。
【００８１】
更に、上記の各実施の形態において、魚巣ブロックの材質として、コンクリート、ポーラスコンクリート、ソイルコンクリート、セラミック、木、炭、土、陶器、石、ゼオライト、石灰岩のいずれか一種類またはこれらの混合物を用いれば、環境や生態系への悪影響を少なくすることが可能である。
【００８２】
更に、上記の各実施の形態では、魚巣ブロックは箱形形状に形成されているが、必ずしも箱形である必要はなく、隙間の最下部の少なくとも一部を含む部分を、第１ブロックの外方側から所定の空間を介して囲うことができる形状であれば良い。
【００８３】
更に、上記の第１から第３の各実施の形態では、魚巣ブロックの構造体部分に開口が形成されているが、必ずしも開口は必要なものではなく、なくても良い。
【００８４】
更に、上記の第１から第３及び第５の各実施の形態では、水路ブロックの幅方向の両側に一対の魚巣ブロックを備えているが、いずれか一方側にのみ魚巣ブロックを取り付けても良い。
【００８５】
更に、上記の第１及び第３から第５の各実施の形態において、隙間の最下部に嵌合する止水ブロックを更に取付けても良い。
【００８６】
更に、上記の第１及び第３の各実施の形態では、魚巣ブロックと地盤面との間に金網と繊維マットとを敷いているが、必ずしもこのように構成する必要はなく、地盤面上に直接魚巣ブロックを設置しても良い。
【００８７】
更に、上記の第４及び第５の各実施の形態において、魚巣ブロックの構造体部分に開口を形成すると共に、開口を覆う通水性シートを取り付けても良い。
【００８８】
更に、上記の第２の実施の形態では、止水ブロックが取り付けられているが、必ずしもこのように構成する必要はなく、水路の用途に応じて止水ブロックのない構成としても良い。また、止水ブロックを取り付けるの代わりに、現場打ちコンクリートで隙間の最下部を埋めて止水しても良い。
【００８９】
更に、上記の第４の実施の形態において、上記の第５の実施の形態のように隣接する２以上の隙間を一体的に囲うように魚巣ブロックを構成しても良い。
【００９０】
更に、上記の第５の実施の形態では、魚巣ブロックは、隣接する２つの隙間を一体的に囲うように構成されているが、必ずしも２つの隙間に限らず、３つ以上の隙間を囲うように構成しても良い。
【図面の簡単な説明】
【００９１】
【図１】この発明の第１の実施の形態による水路構造体の概略構成を示した一部破断図である。
【図２】図１で示した魚巣ブロック部分の概略構成を示した分解斜視図である。
【図３】図１で示したＩＩＩ−ＩＩＩラインの拡大断面図である。
【図４】図３で示したＩＶ−ＩＶラインの断面図である。
【図５】図３で示したＶ−Ｖラインの断面図である。
【図６】図３で示したＶＩ−ＶＩラインの断面図である。
【図７】この発明の第２の実施の形態による水路構造体の概略構成を示した一部破断図である。
【図８】図７で示した魚巣ブロック部分の概略構成を示した分解斜視図である。
【図９】図７で示したＩＸ−ＩＸラインの断面図である。
【図１０】図９で示したＸ−Ｘラインの断面図である。
【図１１】この発明の第３の実施の形態による水路構造体の概略構成を示した一部破断図である。
【図１２】図１１で示したＸＩＩ−ＸＩＩラインの断面図である。
【図１３】この発明の第４の実施の形態による水路構造体の概略構成を示した一部破断図である。
【図１４】図１３で示したＸＩＶ−ＸＩＶラインの拡大断面図である。
【図１５】図１３で示したＸＶ−ＸＶラインの拡大断面図である。
【図１６】この発明の第５の実施の形態による水路構造体の概略構成を示した一部破断図である。
【図１７】図１６で示したＸＶＩＩ−ＸＶＩＩラインの断面図である。
【符号の説明】
【００９２】
１…水路構造体
２…水路ブロック
３…側壁部
５…隙間
６…砕石
７…水面
８…底部
１０…魚巣ブロック
１２…開口
１７…吸出し防止シート
１９…固定ブロック
２４…止水ブロック
２６…水路ブロック
２８…ブロック本体
２９…側蓋
３０…上蓋
尚、各図中同一符号は同一または相当部分を示す。
【図１】
2006132164.tif 000003
【図２】
2006132164.tif 000004
【図３】
2006132164.tif 000005
【図４】
2006132164.tif 000006
【図５】
2006132164.tif 000007
【図６】
2006132164.tif 000008
【図７】
2006132164.tif 000009
【図８】
2006132164.tif 000010
【図９】
2006132164.tif 000011
【図１０】
2006132164.tif 000012
【図１１】
2006132164.tif 000013
【図１２】
2006132164.tif 000014
【図１３】
2006132164.tif 000015
【図１４】
2006132164.tif 000016
【図１５】
2006132164.tif 000017
【図１６】
2006132164.tif 000018
【図１７】
2006132164.tif 000019